Podtech/llm-jp-corpus-v4-ja_patent huggingface dataset:
(57)【特許請求の範囲】
【請求項１】
多数の、４隅部を丸くした方形状の掛止孔を一列に並設したバンド本体を備え、該バンド本体の基部に設けた緊締受金に貫通させたフックボルトの先端に、前記掛止孔の適宜のものに掛止するフックを設け、基端にはナットを螺合すると共に、前記フックの、前記掛止孔の、直縁状の孔縁に掛止する直縁状の接触縁のフック幅方向の両側を丸くした、前記電柱用バンド。
【発明の詳細な説明】
【技術分野】
【０００１】
本発明は、種々の機器を装柱するために用いる電柱用バンドに関するものであ。殊に金属板を折曲したり、或いは、金属片を熔接して形成した側面視三角形状の電柱用足場を、電柱面に締付けるために用いるに好適にしたものである。
【背景技術】
【０００２】
種々の機器を、例えば、側面視三角形状の電柱用足場（特許文献１）の装柱に際しては、バンド本体を三角形の足場に挿通させるようにして足場の当接部片にバンド本体の中間部を重ね合わせ、先端に備えた緊締材の緊締杆の先端を、バンド本体に並べて設けた方形状の透孔間の、断面溝状の掛止片に掛止して、前記緊締杆に緊締ナットを螺合して電柱に締め付けるようにした構造の電柱用バンドは公知である（特許文献２）。
【先行技術文献】
【特許文献】
【０００３】
【特許文献１】実公平０３−２５９８号公報
【特許文献２】実公昭５４−１８６２０号公報
【発明の概要】
【発明が解決しようとする課題】
【０００４】
前記従来構造の、電柱用バンドは、装柱した機器に何等かの荷重が負荷したとき、その荷重負荷によってバンド本体が延びようとし、その延びようとする力が、掛止鉤を通じて掛止孔の縁部に集中し、掛止孔縁部を電柱から離れる方向に浮き上がらせようとし、掛止鉤の屈曲部の角部からの負荷荷重が前記縁部に集中し、掛止孔が裂傷し、不足の事故の原因となりかねない。
【０００５】
本発明はこのような想定のもとにより安全な製品、すなわち、比較的耐荷重性の有る電柱用バンドを提供することを目的として創案したものである。
【課題を解決するための手段】
【０００６】
多数の掛止孔を一列に並設したバンド本体の基部に緊締受金を設け、該緊締受金に貫通させたフックボルトの先端に、前記掛止孔の適宜のものに掛止するフックを設け、基端にはナットを螺合した電柱用バンドにおいて、前記フックの、前記掛止孔の孔縁に掛止する接触縁のフック幅方向の両側を丸くした構成としたものである。
【発明の効果】
【０００７】
本発明によれば、衝撃荷重がフックの屈曲部を通じて掛止孔の孔縁に集中しても、フックの、前記孔縁に接触する接触縁の両側は曲線状にしてあるので、縁部の裂傷を回避でき、従って、耐荷重性の有る機器装柱用の電柱用バンドを提供できる。
【図面の簡単な説明】
【０００８】
【図１】使用状態を示す一部欠截正面図。
【図２】図１の一部欠截拡大平面図。
【図３】足場を装柱した状態の正面図。
【図４】緊締ボルトの正面図。
【図５】図４のａ−ａ線断面図。
【図６】緊締ボルトの平面図。
【図７】緊締ボルトの底面図。
【図８】緊締ボルトの右側面図。
【図９】緊締ボルトの左側面図。
【実施例】
【０００９】
図面は、本発明に係る電柱用バンドの一実施例を示し、実施例の電柱用バンドＡは、長手方向に沿って掛止孔１，…を１列に並べて設けたバンド本体２の基部にＵ字状の緊締受金３を設け、該緊締受金３の相対する前、後の部片３ａ，３ｂに、フックボルト５を貫通させ、後部片３ｂから突出する該フックボルト５の先端に、前記掛止孔１，１間の掛止部片４に掛止する鉤状フック５ａを設け、前部片３ａから突出する基端側のねじ部５ａにナット６を螺合して構成する。
【００１０】
前記鉤状フック５ａは、図２や図５で示す通り、フックボルト５の先端側をＵ字状に折り返して成り、前記掛止部片４の、縁部（掛止孔１の孔縁）４ａに接する接触縁ａの両側を丸くしてある。
【００１１】
電柱用バンドＡは、足受部片１０１と当接部片１０２およびこれら部片１０１，１０２間に架設した補強部片１０３とで成る側面視三角形の足場Ｂに通して電柱Ｄに巻き付け、次いで、バンド本体２の基部に備えた緊締受金３を貫挿したフックボルト５のフック５ａを、適宜の掛止孔１を通じて掛止部片４に掛止し、フックボルト５の基部側のねじ部５ｂにナット６を螺合、締め付けることによって当該電柱用バンドＡの装柱状態を得ることができ、足場ＢはバンドＡによって装柱される。
【００１２】
実施例の掛止孔１は、４隅部を丸くした方形状を成し、バンド本体２の長手方向に並ぶ一方の縁部１ａを直縁状と成し、これに両側を曲縁状としたフックボルト５のフック５ａの直縁状の接触縁ａが接触するようにして、いわば線接触によってフックボルト５側からの荷重の負荷が一点に集中するのを避けているが、必ずしも直縁同士の接触にする必要はなく、曲縁同士の場合でも不都合はない。要は、荷重の負荷側すなわちフックボルト５側の、前記縁部１ａに接する内縁ａに荷重が集中する角部がなければ良い。
【符号の説明】
【００１３】
１      掛止孔
２      バンド本体
３      緊締受金
５      フックボルト
５ａ    フック
６      ナット
ａ      接触縁
【図１】
0005457278.tif 000002
【図２】
0005457278.tif 000003
【図３】
0005457278.tif 000004
【図４】
0005457278.tif 000005
【図５】
0005457278.tif 000006
【図６】
0005457278.tif 000007
【図７】
0005457278.tif 000008
【図８】
0005457278.tif 000009
【図９】
0005457278.tif 000010